(57)【要約】【課題】複数の内容単位から構成される番組のシーン検索に適した態様で複数のサムネイル画像を表示する表示装置を提供する。【解決手段】複数の内容単位から構成される映像番組に含まれる複数のシーンに対応する複数のサムネイル画像を、前記複数の内容単位に分類するサムネイル作成及び分類部２０３と、前記それぞれの内容単位を代表する複数の見出し画像を前記映像番組から抽出する見出し抽出部２０４と、前記抽出された複数の見出し画像を表すと共に、前記それぞれのサムネイル画像を、分類された内容単位を代表する見出し画像に従属させて表す番組構成イメージを生成する番組構成生成部２０５と、生成された番組構成イメージを外部のモニタへ表示する表示Ｉ／Ｆ２０６とを備える。【選択図】図１
2007201815.tif 000002
【特許請求の範囲】
【請求項１】
複数の内容単位から構成される映像番組に含まれる複数のシーンに対応する複数のサムネイル画像を表示する表示装置であって、
前記複数のサムネイル画像を、前記複数の内容単位に分類するサムネイル分類手段と、
前記それぞれの内容単位を代表する複数の見出し画像を前記映像番組から抽出する見出し抽出手段と、
前記抽出された複数の見出し画像を表示すると共に、前記それぞれのサムネイル画像を、分類された内容単位を代表する見出し画像に従属させて表示する番組構成表示手段と
を備えることを特徴とする表示装置。
【請求項２】
前記映像番組は、前記それぞれの内容単位の概要を表す複数の映像を含んでおり、
前記見出し抽出手段は、前記映像番組から前記複数の映像を前記複数の見出し画像として抽出する
ことを特徴とする請求項１に記載の表示装置。
【請求項３】
前記複数の映像は、前記それぞれの内容単位の概要を表す複数の文字列を含んでおり、
前記見出し抽出手段は、前記抽出された複数の映像から前記複数の文字列を前記複数の見出し画像として抽出する
ことを特徴とする請求項２に記載の表示装置。
【請求項４】
前記番組構成表示手段は、文字列を含んでいるシーンに対応するサムネイル画像のみを表示する
ことを特徴とする請求項１に記載の表示装置。
【請求項５】
前記番組構成表示手段は、前記シーンから前記文字列を抽出し、抽出された前記文字列を前記サムネイル画像の代わりに表示する
ことを特徴とする請求項４に記載の表示装置。
【請求項６】
録画された映像番組に含まれる複数のシーンに対応する複数のサムネイル画像を表示する機能を有する映像番組再生装置であって、
前記複数のサムネイル画像を、前記映像番組を構成する複数の内容単位に分類するサムネイル分類手段と、
前記それぞれの内容単位を代表する複数の見出し画像を前記映像番組から抽出する見出し抽出手段と、
前記抽出された複数の見出し画像を表示すると共に、前記それぞれのサムネイル画像を、分類された内容単位を代表する見出し画像に従属させて表示する番組構成表示手段と、
前記複数のサムネイル画像の中からユーザによって選択される一つに対応するシーンを再生する再生手段と
を備えることを特徴とする映像番組再生装置。
【請求項７】
録画された映像番組に含まれる複数のシーンに対応する複数のサムネイル画像を表示する表示方法であって、
前記複数のサムネイル画像を、前記映像番組を構成する複数の内容単位に分類するサムネイル分類ステップと、
前記それぞれの内容単位を代表する複数の見出し画像を前記映像番組から抽出する見出し抽出ステップと、
前記抽出された複数の見出し画像を表示すると共に、前記それぞれのサムネイル画像を、分類された内容単位を代表する見出し画像に従属させて表示する番組構成表示ステップと
を含むことを特徴とする表示方法。
【請求項８】
録画された映像番組に含まれる複数のシーンに対応する複数のサムネイル画像を表示するためのコンピュータ実行可能なプログラムであって、
前記複数のサムネイル画像を、前記映像番組を構成する複数の内容単位に分類するサムネイル分類ステップと、
前記それぞれの内容単位を代表する複数の見出し画像を前記映像番組から抽出する見出し抽出ステップと、
前記抽出された複数の見出し画像を表示すると共に、前記それぞれのサムネイル画像を、分類された内容単位を代表する見出し画像に従属させて表示する番組構成表示ステップと
をコンピュータに実行させることを特徴とするプログラム。
【発明の詳細な説明】
【技術分野】
【０００１】
本発明は、録画された映像番組に含まれる複数のシーンに対応する複数のサムネイル画像を表示する表示装置、そのような表示装置を含む再生装置、方法、及びプログラムに関する。
【背景技術】
【０００２】
現在、家庭に普及している録画再生装置の代表例として、ＤＶＤ−ＨＤＤレコーダがある。ＤＶＤ−ＨＤＤレコーダの中には、録画された映像番組に含まれる複数のシーンに対応する複数のサムネイル画像を表示する機能を有するものがある。このサムネイル画像は、例えば所望のシーンを検索するために、ユーザによって参照される。
【０００３】
そのようなＤＶＤ−ＨＤＤレコーダは、表示された複数のサムネイル画像の中からユーザによって見たいシーンに対応する一つが選択されると、その選択に応じたシーンを再生表示する。このようにして、ユーザは所望のシーンを素早く視聴できる。
【０００４】
サムネイル画像を用いたシーン検索技術の一例が、特許文献１に開示されている。
【特許文献１】特開平１１−２８９５１７号公報
【発明の開示】
【発明が解決しようとする課題】
【０００５】
しかしながら、従来の技術によれば、複数の内容単位から構成される映像番組のシーン検索において、ユーザにとって、複数のサムネイル画像を見ただけでは、それぞれがどの内容単位のシーンであるかを判別することは困難であるという問題がある。ここでニュース番組、報道番組、及び情報番組がそのような番組の典型例であり、ニュース項目、特集コーナーがその内容単位の一例である。
【０００６】
この問題のために、例えばユーザがニュース番組について表示される複数のサムネイル画像から所望の特集コーナーに含まれるシーンを選択して視聴しようとした場合に、具体的に、次の特集コーナーを見るつもりで、今見ている特集コーナーに含まれるサムネイル画像を誤って選択してしまうといった不便が生じる。
【０００７】
本発明は、このような事情に鑑みてなされたものであり、複数の内容単位から構成される番組のシーン検索に適した態様でサムネイル画像を表示する表示装置、そのような表示装置を含む再生装置、方法、及びプログラムを提供することを目的とする。
【課題を解決するための手段】
【０００８】
上記課題を解決するため、本発明の表示装置は、複数の内容単位から構成される映像番組に含まれる複数のシーンに対応する複数のサムネイル画像を表示する表示装置であって、前記複数のサムネイル画像を、前記複数の内容単位に分類するサムネイル分類手段と、前記それぞれの内容単位を代表する複数の見出し画像を前記映像番組から抽出する見出し抽出手段と、前記抽出された複数の見出し画像を表示すると共に、前記それぞれのサムネイル画像を、分類された内容単位を代表する見出し画像に従属させて表示する番組構成表示手段とを備える。
【０００９】
また、前記映像番組は、前記それぞれの内容単位の概要を表す複数の映像を含んでおり、前記見出し抽出手段は、前記映像番組から前記複数の映像を前記複数の見出し画像として抽出してもよく、また、前記複数の映像は、前記それぞれの内容単位の概要を表す複数の文字列を含んでおり、前記見出し抽出手段は、前記抽出された複数の映像から前記複数の文字列を前記複数の見出し画像として抽出してもよい。
【００１０】
また、前記番組構成表示手段は、文字列を含んでいるシーンに対応するサムネイル画像のみを表示してもよく、また、前記シーンから前記文字列を抽出し、抽出された前記文字列を前記サムネイル画像の代わりに表示してもよい。
【００１１】
また、本発明は、そのような表示装置として実現することができるだけでなく、そのような表示装置を含む再生装置として実現することも、また、表示方法又はプログラムとして実現することもできる。
【発明の効果】
【００１２】
本発明の表示装置は、複数の内容単位から構成される映像番組に含まれる複数のシーンに対応する複数のサムネイル画像を、前記複数の内容単位に分類すると共に、分類された内容単位を代表する見出し画像に従属させて表示するので、ユーザは所望の内容単位に含まれるシーンを的確に検索できる。
【００１３】
また、文字列を含んでいるシーンを見出し画像やサムネイル画像として表示すれば、ユーザはその文字列から内容単位やシーンの意味を明確に把握できるので、検索の的確性が向上する。
【発明を実施するための最良の形態】
【００１４】
以下、本発明の実施の形態について、図面を参照して説明する。
【００１５】
（実施の形態１）
図１は、本発明の実施の形態１に係るＤＶＤ−ＨＤＤレコーダの、機能的な構成の一例を示すブロック図である。
【００１６】
ＤＶＤ−ＨＤＤレコーダ２０１は、映像番組を録画及び再生するレコーダであり、その映像番組に含まれる複数のシーンに対応する複数のサムネイル画像を表示する機能を有している。
【００１７】
ＤＶＤ−ＨＤＤレコーダ２０１は、録画済番組保存部２０２、サムネイル作成及び分類部２０３、見出し抽出部２０４、番組構成生成部２０５、表示Ｉ／Ｆ２０６、リモコンＩ／Ｆ２０７、及び番組再生部２０８から構成される。
【００１８】
録画済番組保存部２０２は、録画された映像番組を保存する。この録画された映像番組は複数の内容単位から構成されているものとする。
【００１９】
サムネイル作成及び分類部２０３は、録画済番組保存部２０２に保存されている映像番組を参照し、その映像番組に含まれる複数のシーンに対応する複数のサムネイル画像を生成すると共に、生成された複数のサムネイル画像を、その映像番組を構成する複数の内容単位に分類する。
【００２０】
見出し抽出部２０４は、その映像番組からそれぞれの内容単位を代表する複数の見出し画像を抽出する。
【００２１】
番組構成生成部２０５は、分類された複数のサムネイル画像をそれぞれ分類された内容単位を代表する見出し画像に従属させて表す番組構成イメージを生成し、生成された番組構成イメージを、表示Ｉ／Ｆ２０６を介して外部のモニタ画面に表示する。この番組構成生成部２０５と表示Ｉ／Ｆ２０６とが、請求項に言う番組構成表示手段の一例である。
【００２２】
リモコンＩ／Ｆ２０７は、ユーザによって行われるリモコン操作を表す情報を受け付ける。この情報は、具体的には、モニタ画面に表示された複数のサムネイル画像の中からユーザによって選択された一つを表す選択情報である。
【００２３】
番組再生部２０８は、その選択情報によって示されるサムネイル画像に対応するシーンを再生し、再生されたシーンを、表示Ｉ／Ｆ２０６を介して外部のモニタ画面に表示する。
【００２４】
なお、映像番組を構成する内容単位は一般に、コーナー、チャプター、項目等と称されることもある。内容単位がそのような名前で称される場合も、本発明に含まれる。
【００２５】
以下では、典型的な一例として、ニュース番組に含まれる複数のシーンのサムネイル画像を、そのニュース番組を構成する複数の特集コーナーに分類し、分類された特集コーナーを代表する複数の見出し画像に従属させて表示する場合について説明する。
【００２６】
図２は、実施の形態１において表示される番組構成イメージの一例を表す図である。
モニタ画面１０１は、番組構成表示部分１０３と番組再生部分１０２とに分割される。
番組構成表示部分１０３には、それぞれの特集コーナーの見出し画像１０４に従属させて、その特集コーナーに含まれるシーンに対応するサムネイル画像１０５を表す番組構成イメージが表示される。番組再生部分１０２には、選択されたサムネイル画像に対応するシーンが再生され表示される。
【００２７】
サムネイル作成及び分類部２０３は、映像番組に一定間隔で（例えば３０秒ごとに）含まれる複数のフレームをそれぞれ縮小することによって、複数のサムネイル画像を生成する。そして、その映像番組のコマーシャルで区切られる複数の部分を内容単位として定め、生成された複数のサムネイル画像をその内容単位に分類する。
【００２８】
なお、内容単位の定め方は、コマーシャルによる区切りに限定されるものではなく、他に、例えばニュースキャスターが登場するシーンで区切られる複数の部分を内容単位として定めてもよい。
【００２９】
見出し抽出部２０４は、例えばニュース番組の冒頭、最初のコマーシャルの直後、又はニュースキャスターが登場するシーンといった予め知られた箇所に設けられ、複数の特集コーナーの概要をそれぞれ表す複数の画像を抽出する。そして、抽出された複数の画像を、例えば時間の並びの順に従って、前記定められた複数の内容単位に対応付け、抽出されたそれぞれの画像を、対応付けられた内容単位を代表する見出し画像として定める。
【００３０】
なお、この他に、抽出されたそれぞれの画像に類似するシーンを含んでいる内容単位を、抽出された画像と内容単位に含まれるシーンとの比較によって特定し、抽出された画像を、その画像について特定された内容単位を代表する見出し画像として定めてもよい。
【００３１】
番組構成生成部２０５は、分類された複数のサムネイル画像を、それぞれ分類された内容単位を代表する見出し画像に従属させて表す番組構成イメージを生成する。そのような番組構成イメージは、具体的な一例としては、図２の番組構成表示部分１０３に示されるように、見出し画像に対してサムネイル画像をインデントすると共に、両者を折れ線で結んで表される。
【００３２】
なお、サムネイル画像を見出し画像に従属させて表す番組構成イメージがこの例に限られないことはもちろんである。例えば、見出し画像を大きく表しかつサムネイル画像を小さく表すことによって従属を表現してももちろん構わない。
【００３３】
番組再生部２０８は、リモコンＩ／Ｆ２０７によって受け付けられた選択情報によって示されるサムネイル画像に対応するシーンを再生し、再生されたシーンを、表示Ｉ／Ｆ２０６を介してモニタ画面１０１の番組再生部分１０２に表示する。
【００３４】
ここで、選択されたサムネイル画像に対応するシーンを再生するために、例えば、それぞれのサムネイル画像を生成する際に、対応するシーンを特定する情報（例えば、そのサムネイル画像を縮小する元となったフレームをその映像番組内での時、分、秒、及びフレーム番号で特定する時間情報）をそのサムネイル画像に対応付けて記憶しておけばよい。そうすれば、その時間情報によって特定されるフレーム以降を、対応するシーンとして容易に再生することができる。
【００３５】
以上説明したように、実施の形態１のＤＶＤ−ＨＤＤレコーダは、複数の内容単位から構成される映像番組に含まれる複数のシーンに対応する複数のサムネイル画像を、前記複数の内容単位に分類すると共に、分類された内容単位を代表する見出し画像に従属させて表示するので、ユーザは所望の内容単位に含まれるシーンを的確に選択して視聴できる。
【００３６】
（実施の形態２）
図３は、本発明の実施の形態２に係るＤＶＤ−ＨＤＤレコーダの、機能的な構成の一例を示すブロック図である。以下、実施の形態１と同一の事項については説明を省略し、主として異なる点について説明する。
【００３７】
ＤＶＤ−ＨＤＤレコーダ４０１は、実施の形態１で説明したＤＶＤ−ＨＤＤレコーダ２０１（図１を参照）と比べて、文字列を含んでいるシーンに対応するサムネイル画像のみを表示する点で異なる。
【００３８】
ＤＶＤ−ＨＤＤレコーダ４０１は、ＤＶＤ−ＨＤＤレコーダ２０１におけるサムネイル作成及び分類部２０３を、サムネイル作成及び分類部４０３及びテロップ情報処理部４０９に置き換えて構成される。その他の構成要素については、ＤＶＤ−ＨＤＤレコーダ２０１と共通である。
【００３９】
サムネイル作成及び分類部４０３は、サムネイル画像を生成する前に、その元となるフレームをテロップ情報処理部４０９へ出力する。
【００４０】
テロップ情報処理部４０９は、サムネイル作成及び分類部４０３から取得されたフレームに文字列が含まれるか否かを、例えばそのフレームを画像処理することによって判断し、その判断結果をサムネイル作成及び分類部４０３へ返却する。
【００４１】
なお、この文字列には、映像にスーパーインポーズされたテロップ文字列、文字列を表す映像そのもの、及び映像と合成して同一の画面内で表示される字幕データ等の文字データが含まれる。
【００４２】
サムネイル作成及び分類部４０３は、テロップ情報処理部４０９によって肯定判断されたフレームのみを縮小することによって、サムネイル画像を生成する。
【００４３】
図４は、実施の形態２において表示される番組構成イメージの一例を表す図である。実施の形態１の表示例（図２を参照）と比べて、全てのサムネイル画像が文字列を含むフレームの縮小画像である点で異なる。
【００４４】
以上説明したように、実施の形態２のＤＶＤ−ＨＤＤレコーダは、文字列を含んでいるシーンを見出し画像やサムネイル画像として表示するので、ユーザはその文字列から内容単位やシーンの意味を明確に把握でき、検索の的確性が向上する。
【００４５】
（実施の形態３）
図５は、本発明の実施の形態３に係るＤＶＤ−ＨＤＤレコーダの、機能的な構成の一例を示すブロック図である。以下、実施の形態２と同一の事項については説明を省略し、主として異なる点について説明する。
【００４６】
ＤＶＤ−ＨＤＤレコーダ６０１は、実施の形態２で説明したＤＶＤ−ＨＤＤレコーダ４０１（図３を参照）と比べて、見出し画像及びサムネイル画像の代わりに、それらの画像に含まれる文字列のみを表示する点で異なる。
【００４７】
ＤＶＤ−ＨＤＤレコーダ６０１は、ＤＶＤ−ＨＤＤレコーダ４０１におけるサムネイル作成及び分類部４０３、見出し抽出部２０４、及び番組構成生成部２０５を、それぞれシーン抽出及び分類部６０３、見出し抽出部６０４、及び番組構成生成部６０５に置き換えると共に、文字認識部６１０を追加して構成される。その他の構成要素については、ＤＶＤ−ＨＤＤレコーダ２０１と共通である。
【００４８】
シーン抽出及び分類部６０３は、テロップ情報処理部４０９によって文字列が含まれると判断されたフレームを、文字認識部６１０へ出力する。
【００４９】
文字認識部６１０は、シーン抽出及び分類部６０３から取得されたフレームを文字認識することによってそのフレームに含まれる文字列を表す文字コードを得て、シーン抽出及び分類部６０３へ返却する。
【００５０】
シーン抽出及び分類部６０３は、このようにして、サムネイル画像の代わりに、サムネイル画像に対応するフレームに含まれる文字列を表す第１の文字コードを得る。
【００５１】
見出し抽出部６０４もまた、文字認識部６１０を用いて、見出し画像に含まれる文字列を表す第２の文字コードを得る。
【００５２】
番組構成生成部６０５は、この第１の文字コードで表される文字列であるシーン情報及び第２の文字コードで表される文字列である見出し文字列をそれぞれサムネイル画像及び見出し画像の代わりに用いて番組構成イメージを生成し、生成された番組構成イメージをモニタ画面に表示する。
【００５３】
図６は、実施の形態３において表示される番組構成イメージの一例を表す図である。実施の形態２の表示例（図４を参照）と比べて、見出し画像１０４の代わりに見出し文字列５０４が表示され、サムネイル画像１０５の代わりにシーン情報５０５が表示されている点で異なる。
【００５４】
以上説明したように、実施の形態３のＤＶＤ−ＨＤＤレコーダは、見出し画像やサムネイル画像の代わりに文字列のみで表された番組構成イメージを表示するので、ユーザは見出し画像やサムネイル画像に含まれる文字列を判読する場合よりも一層明瞭に内容単位やシーンの意味を把握でき、検索の的確性が向上する。
【００５５】
そして、そのような番組構成イメージは、文字列のみで表されているために、見出し画像やサムネイル画像で表された番組構成イメージに比べて、同じ大きさの領域に一覧性の高い番組構成を提示することができる。
【産業上の利用可能性】
【００５６】
本発明の表示装置、そのような表示装置を含む再生装置、方法、及びプログラムは、録画された映像番組を再生する再生装置に用いられ、とりわけ、サムネイル画像の一覧を再生シーンの検索、指定に利用するＨＤＤ、ＤＶＤ、ＤＶＤ−ＨＤＤに有用である。
【図面の簡単な説明】
【００５７】
【図１】本発明の実施の形態１に係るＤＶＤ−ＨＤＤレコーダの機能的な構成の一例を示すブロック図
【図２】本発明の実施の形態１において表示される番組構成イメージの一例を表す図
【図３】本発明の実施の形態２に係るＤＶＤ−ＨＤＤレコーダの機能的な構成の一例を示すブロック図
【図４】本発明の実施の形態２において表示される番組構成イメージの一例を表す図
【図５】本発明の実施の形態３に係るＤＶＤ−ＨＤＤレコーダの機能的な構成の一例を示すブロック図
【図６】本発明の実施の形態３において表示される番組構成イメージの一例を表す図
【符号の説明】
【００５８】
１０１    モニタ画面
１０２    番組再生部分
１０３    番組構成表示部分
１０４    見出し画像
１０５    サムネイル画像
２０１    ＤＶＤ−ＨＤＤレコーダ
２０２    録画済番組保存部
２０３    サムネイル作成及び分類部
２０４    見出し抽出部
２０５    番組構成生成部
２０６    表示Ｉ／Ｆ
２０７    リモコンＩ／Ｆ
２０８    番組再生部
４０１    ＤＶＤ−ＨＤＤレコーダ
４０３    サムネイル作成及び分類部
４０９    テロップ情報処理部
５０４    見出し文字列
５０５    シーン情報
６０１    ＤＶＤ−ＨＤＤレコーダ
６０３    シーン抽出及び分類部
６０４    見出し抽出部
６０５    番組構成生成部
６１０    文字認識部
【図１】
2007201815.tif 000003
【図２】
2007201815.tif 000004
【図３】
2007201815.tif 000005
【図４】
2007201815.tif 000006
【図５】
2007201815.tif 000007
【図６】
2007201815.tif 000008